(57)【特許請求の範囲】
【請求項１】
一定方向にスライドするスライド部材と、
前記スライド部材に設けられ、前記スライド部材と共にスライドする可動接点部材と、
前記スライド部材を収容し、前記可動接点部材に摺動される摺動面に固定接点部を露出させるように埋設して保持するケースとを備え、
前記ケースの厚みを変化させることで、前記摺動面が、前記スライド部材のスライド方向に直交する幅方向に傾斜するように形成されたことを特徴とするスライドスイッチ。
【請求項２】
前記スライド部材には、操作部が設けられ、
前記ケースの幅方向に位置する一壁部には、前記スライド方向に延在し、前記操作部を前記ケースの外側に延出させる開口部が形成され、
前記摺動面が、前記一壁部に対向する他壁部側から前記一壁部側に向かって低くなるように傾斜することを特徴とする請求項１に記載のスライドスイッチ。
【請求項３】
前記スライド部材は、前記他壁部側よりも前記一壁部側が厚く形成されることを特徴とする請求項２に記載のスライドスイッチ。
【請求項４】
前記固定接点部には、半田付け部が接続され、
前記半田付け部は、前記他壁部から前記ケースの外側に延出されることを特徴とする請求項２または請求項３に記載のスライドスイッチ。
【請求項５】
前記幅方向において、前記摺動面は、高さの異なる２つの面に挟まれており、
前記摺動面の高所部側に連なる面および前記摺動面の低所部側に連なる面の少なくとも一方が、前記ケースの底壁部の底面と平行に形成されたことを特徴とする請求項１から請求項４のいずれかに記載のスライドスイッチ。
【請求項６】
前記可動接点部材は、前記摺動面に平行に接触されることを特徴とする請求項１から請求項５のいずれかに記載のスライドスイッチ。
【発明の詳細な説明】
【技術分野】
【０００１】
本発明は、スライドスイッチに関し、特に、音楽プレーヤや携帯電話等の小型の電子機器に用いられるスライドスイッチに関する。
【背景技術】
【０００２】
従来、このようなスライドスイッチとして、電子機器の小型化に伴い、薄型に形成されたものが知られている（例えば、特許文献１参照）。このスライドスイッチは、合成樹脂性のケース内に、操作部に連なるスライダを収容して構成されている。ケースの底壁部には、インサート成形により固定接点部が埋設され、この底壁部に対向するスライダの下面には、ケースの底壁部に弾接する可動接点部材が取り付けられている。
【０００３】
そして、操作部が操作されることで、スライダがケース内をスライドされ、可動接点部材と固定接点部との接触状態に応じてスライドスイッチのＯＮ／ＯＦＦが切り替えられる。また、このスライドスイッチのケースは、上下２つの金型に溶融させた合成樹脂を充填することで成形されるが、底壁部分が薄くなるように成形することにより、スライドスイッチ全体の更なる薄型化が図られている。
【先行技術文献】
【特許文献】
【０００４】
【特許文献１】特開２００５−３４００６１号公報
【発明の概要】
【発明が解決しようとする課題】
【０００５】
しかしながら、上記したような従来のスライドスイッチにおいては、可動接点部材からの接点圧が薄肉のケースの底壁部に常に作用しているため、半田付け時に発生するリフロー熱によりケースに反りが生じるおそれがあった。この問題を解決するために、ケースの側壁部に対向するスライダの側面に可動接点部材を設け、底壁部よりも肉厚な側壁部において可動接点部材を受ける構成が考えられる。
【０００６】
ところが、スライドスイッチの薄型化を図る場合には、可動接点部材の接点幅を大きくとることができない。さらに、ケースの成形時に、固定接点部（端子）を垂直に保持しなければならないため、上下２つの金型に加えて固定接点部を支えるスライドコアが必要となり、加工費が高くなるという問題があった。
【０００７】
本発明はこのような実情に鑑みてなされたものであり、加工費を増加させることなく、半田付け時の変形を抑えると共に薄型化を図ることができるスライドスイッチを提供することを目的とする。
【課題を解決するための手段】
【０００８】
本発明のスライドスイッチは、一定方向にスライドするスライド部材と、前記スライド部材に設けられ、前記スライド部材と共にスライドする可動接点部材と、前記スライド部材を収容し、前記可動接点部材に摺動される摺動面に固定接点部を露出させるように埋設して保持するケースとを備え、前記ケースの厚みを変化させることで、前記摺動面が、前記スライド部材のスライド方向に直交する幅方向に傾斜するように形成されたことを特徴とする。
【０００９】
この構成によれば、ケースの摺動面が、スライド部材のスライド方向に直交する幅方向に傾斜して形成されるため、幅方向において摺動面が形成された壁部の厚みを変化することができる。よって、可動接点部材からの接点圧を受ける部分を厚肉にして、半田付け時に発生するリフロー熱によりケースに生じる変形を抑えることができる。また、スライドスイッチの厚み方向に延在するケースの壁部に、固定接点部を起立状態で保持させる構成と比較して、可動接点部材の接点幅を広くとることができると共に、スライドスイッチの薄型化を図ることができる。さらに、２つの金型によりケースを成形することができるため、加工費が増加することがない。
【００１０】
また本発明は、上記スライドスイッチにおいて、前記スライド部材には、操作部が設けられ、前記ケースの幅方向に位置する一壁部には、前記スライド方向に延在し、前記操作部を前記ケースの外側に延出させる開口部が形成され、前記摺動面が、前記一壁部に対向する他壁部側から前記一壁部側に向かって低くなるように傾斜することを特徴とする。
【００１１】
この構成によれば、摺動面が幅方向において他壁部側から一壁部側に低く傾斜するため、一壁部とスライド部材との係合面を広くとることができ、開口部を介してケースからスライド部材が外れることを防止することができる。
【００１２】
また本発明は、上記スライドスイッチにおいて、前記スライド部材は、前記他壁部側よりも前記一壁部側が厚く形成されることを特徴とする。
【００１３】
この構成によれば、一壁部側において、スライド部材が厚く形成されるため、スライド部材と開口が形成された一壁部との係合面を広くとることができ、開口部を介してケースからスライド部材が外れることを、さらに防止することができる。
【００１４】
また本発明は、上記スライドスイッチにおいて、前記固定接点部には、半田付け部が接続され、前記半田付け部は、前記他壁部から前記ケースの外側に延出されることを特徴とする。
【００１５】
この構成によれば、摺動面が他壁部側に高く傾斜され、摺動面が形成された壁部を他壁部側において厚肉に形成されるため、半田付け時に半田付け部から固定接点部にリフロー熱が伝達する際に、厚肉部分でケースに生じる変形を抑えることができる。
【００１６】
また本発明は、上記スライドスイッチにおいて、前記幅方向において、前記摺動面は、高さの異なる２つの面に挟まれており、前記摺動面の高所部側に連なる面および前記摺動面の低所部側に連なる面の少なくとも一方が、前記ケースの底壁部の底面と平行に形成されたことを特徴とする。
【００１７】
この構成によれば、幅方向において摺動面の高所部側に連なる面および摺動面の低所部側に連なる面の少なくとも一方をケースの底壁部の底面と平行に形成することにより、摺動面を狭い範囲で傾斜させ、摺動面の傾斜角度を大きくすることができる。
【００１８】
また本発明は、上記スライドスイッチにおいて、前記可動接点部材は、前記摺動面に平行に接触されることを特徴とする。
【００１９】
この構成によれば、可動接点部材と摺動面に設けられた固定接点部との接触面積が大きくなるため、接触信頼性を向上させることができる。
【発明の効果】
【００２０】
本発明によれば、加工費を増加させることなく、半田付け時の変形を抑えると共に薄型化を図ることができる。
【図面の簡単な説明】
【００２１】
【図１】本発明に係るスライダスイッチの実施の形態を示す図であり、上部を開放したスライドスイッチの全体斜視図である。
【図２】本発明に係るスライダスイッチの実施の形態を示す図であり、スライドスイッチの分解斜視図である。
【図３】本発明に係るスライダスイッチの実施の形態を示す図であり、スライドスイッチをスライド方向に直交する平面で破断した断面模式図である。
【図４】本発明に係るスライダスイッチの実施の形態を示す図であり、スライドスイッチの切り替え動作の説明図である。
【図５】本発明に係るスライダスイッチの実施の形態を示す図であり、ケース用の金型の断面模式図である。
【図６】本発明に係るスライダスイッチの変形例を示す図である。
【発明を実施するための形態】
【００２２】
以下、本発明の実施の形態について添付図面を参照して詳細に説明する。図１は、本発明の実施の形態に係る上部を開放したスライドスイッチの全体斜視図である。図２は、本発明の実施の形態に係るスライドスイッチの分解斜視図である。
【００２３】
図１および図２に示すように、スライドスイッチ１は、音楽プレーヤ等の図示しない基板に取り付けられて使用されるものであり、上面が開口されたケース２と、ケース２の開口に装着されるカバー３とを備えている。ケース２内には、操作部３６を有し、一方向に沿ってスライド可能なスライド部材５と、スライド部材５にクリック感を付与するクリックバネ６および補助バネ７とが収容されている。
【００２４】
ケース２は、上面が開口された直方体の箱形に形成されている。ケース２の短手方向の略中間部には、ケース２内を長手方向に仕切る隔壁部１６が延在し、この隔壁部１６によりケース２内に２つの収容部１７、１８が形成される。隔壁部１６により仕切られた一方の収容部１７には、スライド部材５がスライド可能に保持され、他方の収容部１８には、クリックバネ６および補助バネ７が保持されている。
【００２５】
ケース２の短手方向に位置する側壁部１１は、隔壁部１６と共にスライド部材５を両側からガイドしており、ケース２外に操作部３６を露出させる凹部２１が形成されている。凹部２１は、側壁部１１の長手方向に延在しており、スライド部材５のスライドに伴う操作部３６の移動を許容している。収容部１７の内底面は、スライド部材５のスライド方向に延在し、側壁部１１側に低くなるように傾斜する傾斜面２２と、傾斜面２２の高所部側に位置する水平な高部面２３と、傾斜面２２の低所部側に位置する水平な低部面２４とから構成されている。この場合、傾斜面２２は、スライド部材５に取り付けられた摺動子３８の摺動面として機能する。
【００２６】
収容部１８側において、ケース２の長手方向に位置する両側壁部１３、１４には、クリックバネ６および補助バネ７が支持される一対の支持溝２５が形成されている。各支持溝２５は、クリックバネ６および補助バネ７が収まる溝幅を有し、クリックバネ６が収まる部分には段部２６が形成されている。支持溝２５の段部２６は、補助バネ７の取付時に補助バネ７の傾倒を抑えるものであり、補助バネ７の取付後にクリックバネ６を取り付けることで、取付作業の作業性を向上させている。
【００２７】
側壁部１１に対向する側壁部１２には、開口部２７が形成されている。開口部２７には、カバー３に設けられ、補助バネ７を背面から支持する支持バネ５５が位置される。また、側壁部１２には、開口部２７を挟んで一対の面取り部２８が形成されている。一対の面取り部２８は、ケース２内から外側に向けて開口部２７を狭めるように傾斜しており、クリックバネ６および補助バネ７の撓みを逃がしている。
【００２８】
両側壁部１３、１４の短手方向の両端部には、カバー３を係止する係止突起２９が外面から外側に突出して形成されており、ケース２の四隅でカバー３を固定している。ケース２の底壁部１５には、長手方向に３つの端子３１ａ、３１ｂ、３１ｃが埋設されている。各端子３１ａ、３１ｂ、３１ｃは、一端側が収容部１７の内底面に露出された固定接点部３２ａ、３２ｂ、３２ｃであり、他端側が側壁部１１側からケース２側に延出された半田付け部３３ａ、３３ｂ、３３ｃになっている。固定接点部３２ａ、３２ｂ、３２ｃは、その露出面が内底面に面一となっており、内底面と同様に傾斜面２２、高部面２３、低部面２４を有している。
【００２９】
スライド部材５は、スライド本体３５と、スライド本体３５に連なる操作部３６と、スライド本体３５および操作部３６に組み付けられたフレーム部３７と、スライド本体３５に取り付けられた可動接点部材としての摺動子３８とから構成されている。スライド本体３５は、スライド方向に平行に延在する摺動壁部４１、４２と、摺動壁部４１、４２の上部を接続する平板部４３とを有し、一対の摺動壁部４１、４２および平板部４３により側面視凹状に形成される。
【００３０】
また、摺動壁部４１、４２は、収容部１７に収容された状態で、内底面の高部面２３および低部面２４に対向している。内底面の低部面２４に対向する摺動壁部４１は、高部面２３に対向する摺動壁部４２よりも厚く形成されている。この場合、内底面の低部面２４においては収容部１７が深く形成されているため、側壁部１１の凹部２１により低く形成された部分と摺動壁部４１との係合面を広くとることができ、スライド部材５のケース２からの抜けが防止される。
【００３１】
操作部３６は、摺動壁部４１に接続され、側壁部１１の凹部２１を介してケース２外に延出される。フレーム部３７は、金属板で形成され、操作部３６およびスライド本体３５を補強する補強フレーム部４５と、補強フレーム部４５に連なりクリックバネ６に弾性係合する係合フレーム部４６とを有している。補強フレーム部４５は、一部が操作部３６内に挿入されると共に、スライド本体３５の上面から露出するようにインサート成形により組み付けられる。
【００３２】
係合フレーム部４６は、ケース２の長手方向に延在する板状であり、延在方向の両端部において補強フレーム部４５に対して垂直に折り曲げられて形成されている。また、係合フレーム部４６は、摺動壁部４２に対し間隔を空けて折り曲げられており、スライド部材５がケース２に収容された状態で、収容部１８において隔壁部１６の側面に沿うように配置される。係合フレーム部４６の延在方向の中間部には、クリックバネ６側に突出した係合部４７が形成されており、係合部４７はスライド部材５のスライド時にクリックバネ６に形成された突出部５２に係脱される。
【００３３】
摺動子３８は、金属板等の導電性の板材を折り曲げて形成され、中間部からスライド方向の前後に延びる一対の片持バネ５１ａ、５１ｂを有している。摺動子３８の中間部は、一対の片持バネ５１ａ、５１ｂの基端部および製造工程で取り残されたバリによって略十字状になっている。この略十字状の交差部分は、スライド本体３５に圧入され、摺動子３８がスライド部材５に取り付けられる。スライド部材５に取り付けられた摺動子３８は、傾斜面２２上をスライド方向に摺動する。
【００３４】
なお、摺動子３８の傾斜面２２に接する接点部は、傾斜面２２に接触可能な面を有していればよく、高部面２３および低部面２４に平行な平坦に形成してもよいし、僅かに湾曲させて傾斜面２２との接触性を確保するように形成してもよい。
【００３５】
クリックバネ６は、長尺状の金属板を折り曲げて形成され、延在方向の中間部にスライド部材５側に突出した突出部５２を有している。クリックバネ６の延在方向の両端部は、下半部が切り欠かれており、側壁部１３、１４に形成された一対の支持溝２５の段部２６に係合される。補助バネ７は、長尺状の金属板であり、クリックバネ６に対して背面側から弾性力を付与している。この場合、補助バネ７の延在方向の両端部は、側壁部１３、１４に形成された一対の支持溝２５内において、一面が段部２６に当接されて位置決め状態で支持されている。
【００３６】
カバー３は、ケース２の上部に装着され、ケース２と共に収容部１７、１８を形成している。カバー３の四隅には、係止片５４が形成されており、係止片５４がケース２の四隅に形成された係止突起２９に係止されてカバー３がケース２の上面に装着される。カバー３の一側方には、長手方向の両端部において上板から垂直に折り曲げられて、支持バネ５５が形成されている。
【００３７】
支持バネ５５は、ケース２内に向けて突出した両持ちバネであり、側壁部１２の開口部２７を介して補助バネ７の背面側に弾性力を付与している。このように、スライドスイッチ１においては、クリックバネ６に対して補助バネ７、支持バネ５５により弾性力が付与されるため、スライド部材５のスライド時に強いクリック感を得ることが可能となっている。
【００３８】
図３を参照して、比較例と比較しつつ、ケースについてさらに詳細に説明する。図３は、スライドスイッチをスライド方向に直交する平面で破断した断面模式図である。図３において、（ａ）はケースの平坦な底壁部に固定接点部を配置したスライドスイッチ（比較例１）、（ｂ）はケースの側壁に固定接点部を起立状態で配置したスライドスイッチ（比較例２）、（ｃ）は本実施の形態に係るスライドスイッチをそれぞれ示している。
【００３９】
図３（ａ）に示すように、比較例１に係るスライドスイッチ６１において、ケース６２の底壁部７１は、固定接点部７２を露出させた平坦な内底面を有し、一様な厚みで薄肉に形成されている。また、ケース２の底壁部７１は、スライド部材６５の下面に取り付けられた摺動子７４から下方に接点圧を受けている。したがって、比較例１に係るスライドスイッチ６１を回路基板に半田付けした場合には、底壁部７１に作用する接点圧とリフロー熱とによって反り易くなっている。
【００４０】
また、図３（ｂ）に示すように、比較例２に係るスライドスイッチ８１において、ケース８２の底壁部９１は、平坦な内底面を有し、一様な厚みで薄肉に形成されている。また、ケース８２の側壁部９２には、固定接点部９３が設けられており、この固定接点部９３を露出させた側面に、スライド部材８５の側面に取り付けられた摺動子９４が当接している。この場合、スライドスイッチ８１は、底壁部９１に接点圧が作用しないため、半田付け時のリフロー熱による反りが抑制されるが、摺動子９４および固定接点部９３の幅によって比較例１に係るスライドスイッチ６１よりも厚型になる。
【００４１】
一方、図３（ｃ）に示すように、本実施の形態に係るスライドスイッチ１においては、ケース２の内底面が、傾斜面２２を挟んで平坦な低部面２４および高部面２３を有している。よって、ケース２の底壁部１５は、低部面２４において底壁部１５が薄肉に形成され、傾斜面２２において徐々に底壁部１５の厚みが増加し、高部面２３において低部面２４よりも底壁部１５が厚肉に形成されている。また、ケース２の底壁部１５には、固定接点部３２が埋設されており、固定接点部３２の上面が内底面に対して面一となっている。
【００４２】
傾斜面２２は、スライド本体３５の下面に取り付けられた摺動子３８から下方に接点圧を受けている。この場合、傾斜面２２は、摺動子３８に接触する部分において、接点圧および半田付け時のリフロー熱による反りを抑制可能な厚みを有している。したがって、スライドスイッチ１の半田付時に、スライドスイッチ１の反りが防止される。また、接点圧の作用しない底壁部１５の低部面２４を薄肉に形成することにより、スライドスイッチ１を薄型化することが可能となる。
【００４３】
また、固定接点部３２には、高部面２３側から底壁部１５内を通りケース２外に延出する半田付け部３３が接続されている。このように、底壁部１５の厚肉側に半田付け部３３が延出されているため、スライドスイッチ１の半田付時に、リフロー熱が底壁部１５の厚肉側を介して薄肉側に伝達され、厚肉側でケース２に生じる変形を抑えることが可能となる。また、傾斜面２２は、高さの異なる平坦な低部面２４および高部面２３に挟まれており、狭い範囲で傾斜させて傾斜角度が大きく形成されている。
【００４４】
図４を参照して、スライドスイッチの切換動作について説明する。図４は、スライドスイッチの切り替え動作の説明図である。
【００４５】
図４（ａ）に示すように、スライド部材５が図示右側に位置している場合には、摺動子３８の接点部が端子３１ａ、３１ｂの固定接点部３２ａ、３２ｂに接触しており、係合フレーム部４６の係合部４７がクリックバネ６の突出部５２の図示右側に位置している。この場合、クリックバネ６は、補助バネ７およびカバー３に設けられた支持バネ５５によって背面側から支持されている。この状態から、操作部３６を用いてスライド部材５を図示左側にスライドさせると、摺動子３８の接点部が端子３１ａ、３１ｂの固定接点部３２ａ、３２ｂから外れ始め、クリックバネ６の突出部５２が係合フレーム部４６の係合部４７に押圧されて、クリックバネ６、補助バネ７および支持バネ５５が弾性力に抗して開口部２７側に撓み始める。
【００４６】
そして、図４（ｂ）に示すように、スライド部材５がケース２の長手方向の中間位置にスライドすると、摺動子３８の接点部が端子３１ａ、３１ｂの固定接点部３２ａ、３２ｂから完全に外れ、クリックバネ６、補助バネ７および支持バネ５５が大きく撓んで、係合フレーム部４６の係合部４７がクリックバネ６の突出部５２に乗り上げる。この場合、補助バネ７は、側壁部１２に形成された一対の面取り部２８により開口部２７側への撓みが許容される。
【００４７】
さらに、スライド部材５が図示左側にスライドすると、摺動子３８の接点部が端子３１ｂ、３１ｃの固定接点部３２ｂ、３２ｃに接触し始め、係合フレーム部４６の係合部４７がクリックバネ６の突出部５２から外れ、クリックバネ６、補助バネ７および支持バネ５５が弾性力により内側に押し戻される。そして、図４（ｃ）に示すように、スライド部材５が図示左側に到達すると、摺動子３８の接点部が端子３１ｂ、３１ｃの固定接点部３２ｂ、３２ｃに完全に接触し、係合フレーム部４６の係合部４７がクリックバネ６の突出部５２の図示左側に位置する。このように、クリックバネ６に対して補助バネ７および支持バネ５５により弾性力が付加されるため、スライド部材５のスライド時に強いクリック感が得られるようになっている。
【００４８】
図５を参照して、ケースの成形方法について説明する。図５は、ケース用の金型の断面模式図である。図５において、（ａ）は上記した比較例２に係るケース用の金型、（ｂ）は本実施の形態に係るケース用の金型である。なお、図５においては、説明の便宜上、ケースの形状を簡略化して記載している。
【００４９】
図５（ａ）に示すように、比較例２に係るスライドスイッチ８１のケース８２は、上型１０５、下型１０６およびスライドコア１０７を用いて成形される。具体的には、上型１０５および下型１０６を上下に重ね合わせ、スライドコア１０７を側方から上型１０５および下型１０６に押し当てることにより、ケース８２を成形するための空洞部１０８が形成される。この場合、スライドコア１０７は、上型１０５および下型１０６の側面に端子９５を押し付けており、端子９５を起立状態で支持している。
【００５０】
そして、空洞部１０８に溶融した合成樹脂が充填されると、側壁部９２に端子９５を起立状態で埋設したケース８２が成形される。このように、比較例２に係るスライドスイッチ８１においては、上型１０５および下型１０６に加えて端子９５を支持するスライドコア１０７が必要となり、加工費が高くなっている。
【００５１】
一方、図５（ｂ）に示すように、本実施の形態に係るスライドスイッチ１のケース２は、上型１０１および下型１０２を用いて成形される。具体的には、上型１０１および下型１０２を上下に重ね合わせることにより、ケース２を成形するための空洞部１０３が形成される。この場合、端子３１は、下型１０２により下方から支持されている。そして、空洞部１０３に溶融した合成樹脂が充填され、底壁部１５に端子３１を埋設したケース２が成形される。このように、本実施の形態に係るスライドスイッチ１においては、上型１０１および下型１０２によりケース２を成形するため加工費を抑えることが可能となっている。
【００５２】
以上のように、本実施の形態に係るスライドスイッチ１によれば、ケース２の傾斜面２２が短手方向に傾斜するため、短手方向において底壁部１５の厚みを変化させることができる。よって、摺動子３８からの接点圧を受ける部分を厚肉にして、半田付け時に発生するリフロー熱によりケース２に生じる変形を抑えることが可能となる。また、側壁部１１に、端子３１を起立状態で保持させる構成と比較して、摺動子３８の接点幅を広くとることができると共に、スライドスイッチ１の薄型化を図ることが可能となる。さらに、上型１０５および下型１０６によりケース２を成形することができるため、加工費が増加することがない。
【００５３】
なお、上記した実施の形態においては、固定接点部を底壁部に設ける構成としたが、この構成に限定されるものではない。図６に示すように、側壁部に摺動面としての傾斜面を形成し、この摺動面に設けた固定接点部に対して、スライド部材の側面に設けた摺動子を摺動させる構成としてもよい。
【００５４】
また、上記した実施の形態においては、摺動子の接点部が固定接点部に対して斜めに接触する構成としたが、この構成に限定されるものではない。摺動子の接点部と固定接点部とが平行に接触する構成としてもよい。この構成により、摺動子の接点部と固定接点部との接触性を向上させることができる。
【００５５】
また、上記した実施の形態においては、摺動面としての傾斜面を直線状とする構成としたが、この構成に限定されるものではない。傾斜面は、ケースの短手方向（スライド方向に直交する方向）において底壁部の厚みを変化させるものであればよく、例えば、曲面状に傾斜する構成としてもよい。
【００５６】
また、上記した実施の形態においては、内底面に対して固定接点部の上面を面一とする構成としたが、この構成に限定されるものではない。固定接点部は、内底面から露出されていればよく、例えば、内底面から僅かに突出する構成であってもよい。
【００５７】
また、上記した実施の形態においては、スライド部材の一対の摺動壁部を、内底面の高部面に対向する部分よりも低部面に対向する部分を厚く形成する構成としたが、この構成に限定されるものではない。スライド部材がケースから外れないのであれば、スライド部材の一対の摺動壁部を同じ厚みで形成してもよい。
【００５８】
また、上記した実施の形態においては、操作部の延出用の凹部が形成された側壁部側に向かって低くなるように傾斜面を傾斜させる構成としたが、この構成に限定されるものではない。スライド部材がケースから外れないのであれば、凹部が形成された側壁部側に高くなるように傾斜面を傾斜させる構成としてもよい。
【００５９】
また、上記した実施の形態においては、側壁部に形成された開口部としての凹部により操作部をケース外に延出させる構成としたが、この構成に限定されるものではない。操作部をケース外に操作部を延出させる構成であればよく、側壁部に孔部を設けて操作部をケース外に延出させる構成としてもよい。
【００６０】
また、上記した実施の形態においては、高部面および低部面を水平な平坦面としたが、この構成に限定されるものではない。高部面および低部面を傾斜面に連なるように両方とも傾斜させてもよいし、いずれかのみを傾斜させる構成としてもよい。
【００６１】
また、上記した実施の形態においては、カバーに支持バネを設ける構成としたが、この構成に限定されるものではない。クリックバネと補助バネによりスライド部材に対して十分なクリック感を与えることができるのであれば、カバーに支持バネを設けない構成としてもよい。
【００６２】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００６３】
以上説明したように、本発明は、加工費を増加させることなく、半田付け時の変形を抑えると共に薄型化を図ることができるという効果を有し、特に、音楽プレーヤや携帯電話等の小型の電子機器に用いられるスライドスイッチに有用である。
【符号の説明】
【００６４】
１  スライドスイッチ
２  ケース
３  カバー
５  スライド部材
６  クリックバネ
７  補助バネ
１１  側壁部（一壁部）
１２  側壁部（他壁部）
１５  底壁部
２１  凹部（開口部）
２２  傾斜面（摺動面）
２３  高部面
２４  低部面
２５  支持溝
２６  段部
３１ａ、３１ｂ、３１ｃ  端子
３２ａ、３２ｂ、３２ｃ  固定接点部
３３ａ、３３ｂ、３３ｃ  半田付け部
３６  操作部
３８  摺動子（可動接点部材）
１０１  上型
１０２  下型
１０３  空洞部
【図１】
0005396195.tif 000002
【図２】
0005396195.tif 000003
【図３】
0005396195.tif 000004
【図４】
0005396195.tif 000005
【図５】
0005396195.tif 000006
【図６】
0005396195.tif 000007